(57)【要約】【課題】観察者にとって最適な照明効果とミラー効果とを実現し、照明部の位置設定の自由度が高い照明装置を実現する。【解決手段】照明装置１ａにおいて、照明部（５）は、導光板（４）と、導光板（４）の側端面（４ａ）に光を照射する光源（６）と、を有し、導光板（４）には、内部を進行する光（Ｌ１）をハーフミラー（３）へ向けて出射する光取り出し構造（７）が形成されており、導光板（４）及び光源（６）は、ハーフミラー（３）に対して相対的に移動する。【選択図】図２
2015099761.tif 000002
【特許請求の範囲】
【請求項１】
対象物を映し出す鏡体を備え、対象物に対し照明光を出射する照明装置であって、
上記鏡体は、上記対象物側に鏡面が形成されたハーフミラーと、該ハーフミラーにおける上記対象物と反対側に配置され、ハーフミラーの一部の領域を通過するように上記照明光を出射する照明部と、を備え、
上記照明部は、導光板と、上記導光板の側端部に光を照射する光源と、を有し、上記導光板には、上記側端部から入射し導光板内部を進行する光を上記ハーフミラーへ向けて出射するための光取り出し構造が形成されており、
上記導光板及び上記光源は、上記ハーフミラーに対して相対的に移動することを特徴とする照明装置。
【請求項２】
出射光の配光特性が互いに異なる、複数の導光板を備えたことを特徴とする請求項１に記載の照明装置。
【請求項３】
上記光取り出し構造は、凹プリズムから構成されていることを特徴とする請求項１または２に記載の照明装置。
【請求項４】
出射光の発光色が互いに異なる複数の光源を備え、
上記複数の光源は、それぞれ、上記導光板の互いに異なる側端部に配置されていることを特徴とする請求項１〜３の何れか１項に記載の照明装置。
【請求項５】
人体検知センサと、上記人体検知センサと連動して上記光源の点灯及び消灯を制御する制御手段とを備えたことを特徴とする請求項１〜４の何れか１項に記載の照明装置。
【発明の詳細な説明】
【技術分野】
【０００１】
本発明は、照明装置に関する。
【背景技術】
【０００２】
観察者が化粧などを行う際に使用される鏡には、鏡に映す対象となる観察者に対して最適に光を照らす照明装置が求められている。しかし、鏡と照明装置とを別体にした場合、照明装置の光の出射角度によっては鏡に映し出される観察者に影が生じる。このため、鏡と照明装置とを別体にした構成は、好ましくない。そこで、従来、鏡と照明装置と一体化した鏡付き照明装置が開発されている。鏡付き照明装置の一例として、例えば特許文献１には、鏡の一部がハーフミラーをなし、該ハーフミラーの裏側に照明器具を取り付けることにより、鏡の一部を鏡兼用の照明具とした姿見鏡が開示されている。
【０００３】
図７は、特許文献１に開示された姿見鏡の構成を示す正面図である。また、図８は、特許文献１に開示された姿見鏡の構成を示す断面図である。図７及び８に示されるように、特許文献１に記載された姿見鏡１００は、鏡１０１上部がハーフミラー化しており、この上部の裏面に熱陰極管が鏡から離れて配されている。また、鏡１０１上部には、片側１灯使用する導光板方式の面発光光源１０２が取り付けられている。面発光光源１０２は、図８に示されるように、ランプ１０３、導光板１０４、拡散板を兼ねたハーフミラー１０５、及び、裏板１０６によって構成されている。
【０００４】
上記の構成によれば、面発光光源１０２において、ランプ１０３の出射光は、導光板１０４におけるランプ１０３側の断面から入射する。そして、導光板１０４を経由して、たるいは導光板１０４底面に設けられた印刷ドットパターン（図示せず）により反射されて、ハーフミラー１０５を通過し姿見鏡１００の表面へ放射される。
【０００５】
このようにして、特許文献１に開示された姿見鏡１００は、鏡１０１の一部にハーフミラー化された面発光光源１０２が設けられている。これにより、姿見鏡１００は、一見全体が鏡としての機能がありながら、ハーフミラー化されたエリアに取り付けられた面発光光源１０２を点灯することによって、照明器具としても機能させることができる。
【先行技術文献】
【特許文献】
【０００６】
【特許文献１】特開平１１−４６９４５号公報（１９９９年  ２月２３日公開）
【発明の概要】
【発明が解決しようとする課題】
【０００７】
特許文献１に開示された姿見鏡１００では、鏡１０１表面とハーフミラー化された面発光光源１０２の表面とにおいて光反射率が異なる。このため、光源であるランプ１０３を消灯して姿見鏡１００全体を鏡として使用する場合、鏡１０１とハーフミラー化された面発光光源１０２との境界が目立ち、鏡としての品位を損ねてしまうという問題がある。
【０００８】
特許文献１に開示された姿見鏡１００の鏡面において、照明装置となる面発光光源１０２が配された領域はハーフミラー面となり、ハーフミラー面以外の領域は、通常のミラー面となる。ここで、一般的に、ハーフミラー面での反射率は、通常のミラー面での反射率と異なり、比較的低くなる。この点を鑑みると、面発光光源１０２の非点灯時には、姿見鏡１００の鏡面において、通常のミラー面とハーフミラー面とは、物理的な境界と合わせて、光学特性の違いに起因する境界も現れることになる。具体的には、通常のミラー面の反射率が８０％程度であるのに対して、ハーフミラー面の反射率は５０％程度である。このため、姿見鏡１００に映される鏡像の明るさは、ミラー面とハーフミラー面との境界において、上記反射率の差（８０％と５０％との差）が明確に表れることになる。特に、姿見鏡１００の鏡面において、ハーフミラー面が端部以外の領域、例えば中央近傍の領域に配された場合、面発光光源１０２の非点灯時に、ハーフミラー面とミラー面との境界に大きな反射率の差が生じる。このため、姿見鏡１００は、極めて違和感の有る鏡となり、鏡としての品位を大きく損なう。
【０００９】
また、特許文献１に開示された姿見鏡１００では、面発光光源１０２が配された部分、すなわちハーフミラー部分が可動しない。このため、観察者が面発光光源１０２を任意の位置に設置することができないという問題がある。
【００１０】
本発明は、上記課題を解決するためになされたものであり、その目的は、鏡の品位を損なうことなく、観察者にとって最適な照明効果とミラー効果とを実現するとともに、照明部の位置設定の自由度を高くし、利便性が向上した照明装置を提供することにある。
【課題を解決するための手段】
【００１１】
上記の課題を解決するために、本発明の一態様に係る照明装置は、対象物を映し出す鏡体を備え、対象物に対し照明光を出射する照明装置であって、上記鏡体は、上記対象物側に鏡面が形成されたハーフミラーと、該ハーフミラーにおける上記対象物と反対側に配置され、ハーフミラーの一部の領域を通過するように上記照明光を出射する照明部と、を備え、上記照明部は、導光板と、上記導光板の側端部に光を照射する光源と、を有し、上記導光板には、上記側端部から入射し導光板内部を進行する光を上記ハーフミラーへ向けて出射するための光取り出し構造が形成されており、上記導光板及び上記光源は、上記ハーフミラーに対して相対的に移動することを特徴としている。
【発明の効果】
【００１２】
本発明の一態様によれば、鏡の品位を損なうことなく、観察者にとって最適な照明効果とミラー効果とを実現するとともに、照明部の位置設定の自由度を高くし、利便性が向上した照明装置を提供するという効果を奏する。
【図面の簡単な説明】
【００１３】
【図１】本発明の実施形態１に係る鏡付きの照明装置の概略構成を示す斜視図である。
【図２】本発明の実施形態１に係る鏡付きの照明装置の概略構成を示し、（ａ）は、断面図であり、（ｂ）は、観察者側から見た正面図であり、（ｃ）は、観察者と反対側から見た斜視図である。
【図３】本発明の実施形態２に係る鏡付きの照明装置の概略構成を示し、（ａ）は、断面図であり、（ｂ）は、観察者側から見た正面図である。
【図４】本発明の実施形態３に係る鏡付きの照明装置の概略構成を示し、（ａ）は、断面図であり、（ｂ）は、観察者側から見た正面図である。
【図５】本発明の実施形態４に係る鏡付きの照明装置の概略構成を示し、（ａ）は、断面図であり、（ｂ）は、観察者側から見た正面図である。
【図６】本発明の実施形態５に係る鏡付きの照明装置の概略構成を示し、（ａ）は、断面図であり、（ｂ）は、観察者側から見た正面図である。
【図７】特許文献１に開示された姿見鏡の構成を示す正面図である。
【図８】特許文献１に開示された姿見鏡の構成を示す断面図である。
【発明を実施するための形態】
【００１４】
本発明に係る照明装置の実施形態について、図面を参照しながら詳細に説明する。本発明に係る照明装置は、観察者等の対象物を映し出す鏡体を備え、該鏡体から対象物へ向けて照明光を出射する鏡付きの照明装置である。本発明に係る照明装置は、例えば、洗面台に備え付けられた洗面台用鏡、手鏡、化粧用コンパクト、または、店舗等に設置される姿見鏡などに適用される。なお、以下の実施形態は、本発明を具現化した一例にすぎず、本発明の要旨を変更しない範囲で、実施形態が適宜変更され得ることは勿論である。
【００１５】
〔実施形態１〕
以下、本発明の一実施形態について、図１及び図２に基づいて説明する。図１は、本実施形態に係る鏡付きの照明装置１ａの概略構成を示す斜視図である。図２は、本実施形態に係る鏡付きの照明装置１ａの概略構成を示し、図２の（ａ）は、断面図であり、図２の（ｂ）は、観察者側から見た正面図であり、図２の（ｃ）は、観察者と反対側から見た斜視図である。なお、ここでは、説明の簡略化のためにハーフミラー３、導光板４及び光源６の支持にかかわる機構の図示を省略している。
【００１６】
本実施形態に係る照明装置１ａは、図１及び図２に示されるように、鏡フレーム２と、鏡フレーム２に嵌め込まれたハーフミラー３と、ハーフミラー３に対し照明光を照射する照明部５と、を備えている。照明部５は、面発光光源であり、導光板４と、導光板４の側端面に配置された光源６と、を備えている。この照明部５は、観察者へ照射するための照明光を、ハーフミラー３の一部の領域（後述する発光エリア８）を通過するように出射する構成になっている。
【００１７】
ハーフミラー３は、入射する光の一部を反射し一部を透過させる機能を有する部材であり、観察者等の対象物を映し出す鏡面を有し、該鏡面に入射する光を透過させる。ハーフミラー３は、図１及び図２に示すように、鏡フレーム２に嵌めこまれており、観察者側に鏡面が配置される。ハーフミラー３としては、従来公知のものが使用され、例えば、透光性を有する合成樹脂または透光性ガラスの片面に金属蒸着膜もしくは蒸着フィルムが貼り付けられたものが使用される。ここで、図１において、ハーフミラー３の上下方向をＸ方向とし、左右方向をＹ方向とし、前後方向をＺ方向とする。なお、ハーフミラー３における対象物を映し出す鏡面側を前側としている。
【００１８】
また、ハーフミラー３の光透過率は、本発明の効果を損なわない範囲から適宜選択されればよく、鏡としてのミラー効果を強調するために、５０％未満であることが特に好ましい。
【００１９】
照明部５の構成部材である導光板４は、ハーフミラー３における鏡面と反対側の背面に配置される。また、導光板４は、Ｙ方向に伸びた板部材であり、ハーフミラー３におけるＸ方向の一方の端部から他方の端部までの一部の領域を覆うように配置されている。図１に示されるように、導光板４の面積は、ハーフミラーの面積よりも小さい。導光板４は、透光性部材であれば材料及び形状は限定されず、材料として透光性樹脂や透光性ガラスを用いることができる。透光性樹脂は、例えば、メタクリル系樹脂、アクリル系樹脂、ポリカーボネート系樹脂、ポリエステル系樹脂、または塩化ビニル系樹脂等であることが好ましい。
【００２０】
導光板４には、ハーフミラー３と対向していない背面４ｃの上部及び下部の複数箇所に微細な光取り出し構造７が備えられている。ここで、光取り出し構造７は、図２の（ａ）に示すような複数の凹ドット構造であり、また、光取り出し構造７を構成する凹ドット（凹部）の断面形状は、図２の（ａ）に示すような略三角形状である。凹ドットの断面形状は、略三角形状に限られず、略四角形状、略半円形状などであってもよい。
【００２１】
また、光取り出し構造７を構成する凹ドットは、一つ一つ大きさが同じであってもよく異なっていてもよい。凹ドットの大きさは、ハーフミラー３越しに、観察者に光取り出し構造７が視認されない範囲から適宜選択されればよい。光取り出し構造７を構成する凹ドットの開口の寸法は、φ０．２ｍｍ以下であることが特に好ましい。
【００２２】
さらに、光取り出し構造７を構成する凹ドットの密度及び分布形状は、本発明の効果を損なわない程度に適宜調整され得、等密度及び等間隔分布の形状に限られず、密度が異なりグラデーション分布の形状であってもよい。
【００２３】
照明部５の構成部材である光源６は、図示しない支持部材によって、導光板４のＹ方向の一方の側端面４ａ側に配置されており、光源６から出射される光が導光板４の側端面４ａから導光板４の内部に進入できるようになっている。なお、光源６は、導光板４における一方の側端面４ａ側及び側端面４ａと反対側の他方の側端面４ｂ側のどちらの側に配置されていてもよく、側端面４ａ側及び側端面４ｂ側の両側に設置されていてもよい。また、光源６として、ＬＥＤ（Ｌｉｇｈｔ−Ｅｍｉｔｔｉｎｇ  Ｄｉｏｄｅ）、モジュールや冷陰極管、熱陰極管、白色電球などを用いることができる。また、光源６から出射される光の波長は、その用途に応じて適宜選択することができる。
【００２４】
照明部５において、光源６および光取り出し構造７をもつ導光板４は、図２の（ａ）及び（ｂ）に示されるように、一体的にＸ方向に移動可能になっている。このため、照明装置１ａの構成によれば、Ｘ方向において、ハーフミラー３の任意の位置に照明部５を設置することができる。このため、照明部５による照明の調整の自由度が高くなる。
【００２５】
次に、本実施形態に係る照明装置１ａの作用機序について、図２に基づいて説明する。
【００２６】
まず、図示しない電源から光源６へ電力が供給されると、光源６は発光する。光源６から出射された光Ｌ１は、導光板４の側端面４ａから導光板４内部に進入する。導光板４内部に進入した光Ｌ１は、導光板４におけるＸ方向の上面４ｅ及び下面４ｆ、並びに導光板４におけるハーフミラー３及び鏡フレーム２側の前面４ｄにて全反射を繰り返しながら、側端面４ｂへ向かって導光板４内部を進行する。
【００２７】
ここで、導光板４の側端面４ｂ側には反射シート（図示せず）が配置されている。それゆえ、導光板４の側端面４ｂまで到達した光Ｌ１は、この反射シートにて反射されて、導光板４内部を再び進行する。なお、導光板４の側端面４ｂ側に配置される部材は、上記反射シートに限らず、導光板４の側端面４ｂでの光Ｌ１の反射を促進するものであればよく、例えば塗装等によって反射を促進する構成としてもよい。また、用途によっては、導光板４の側端面４ｂに何も貼付されない、あるいは吸収シートが貼付された等といった反射を利用しない構成とすることも可能である。
【００２８】
このように導光板４内部を進行する光Ｌ１のうち、背面４ｃに入射した光は、図２の（ｃ）に示すように、光取り出し構造７により反射され、導光板４から観察者側へ出射される。導光板４から出射された光Ｌ２は、ハーフミラー３を透過し、照明装置１ａから照明光として出射され、図示しない観察者を照射する。ここで、光源６および導光板４は一体的にＸ方向に移動可能になっているので、導光板４から出射された光Ｌ２は、図２の（ｂ）及び（ｃ）に示されるように、ハーフミラー３表面の上部及び下部の何れかの位置に発光エリア８を形成することが可能になる。また、観察者を照明した光Ｌ２の反射光Ｌ３は、ハーフミラー３にて反射され、ハーフミラー３に鏡像を形成する。そして、この鏡像は、観察者によって明瞭に視認されることになる。
【００２９】
本実施形態に係る照明装置１ａでは、光Ｌ２（照明光）がハーフミラー３の後側から出射し、ハーフミラー３を透過して観察者を照射する。このため、観察者がハーフミラー３の鏡面に近づいても影が生じることなく観察者に光Ｌ２（照明光）を照射することができるという照明効果を奏する。
【００３０】
ここで、従来の面発光光源では、導光板内を進行する光は、導光板に形成された印刷ドットパターンによって反射されて、導光板外部へ出射する。それゆえ、従来の面発光光源の出射光は、印刷ドットパターンによって反射した光であり、散乱光である。これに対し、本実施形態に係る照明装置１ａでは、導光板４内部を進行する光Ｌ１は、光取り出し構造７にて反射される。光取り出し構造７にて反射された光Ｌ２は、光取り出し構造７を構成する凹ドットの断面形状に応じた指向性を有する。すなわち、光取り出し構造７は、導光板４から出射する光Ｌ２に指向性を付与する構造を有する。そのため、本実施形態に係る照明装置１ａは、観察者を映し出すための鏡面の全面がハーフミラー３で形成されていても、照明部５による発光エリア８は、ハーフミラー３表面上の一部の領域に限定される。それゆえ、照明効果と観察者の鏡像を映すミラー効果とを両立することができる。したがって、本実施形態に係る照明装置１ａによれば、観察者が鏡面として認識する範囲全面を同じ光反射率を有するハーフミラー３によって構成することができる。それゆえ、本実施形態に係る照明装置１ａは、特許文献１に記載された姿見鏡のように光反射率の異なることに起因してハーフミラー面とミラー面との境界が生じることがない。したがって、光源６の消灯時においても、鏡としての品位を損ねることはない。
【００３１】
なお、光取り出し構造７により反射された光Ｌ２の指向性は、光取り出し構造７の断面形状により調整できる。例えば、光取り出し構造７の断面形状が直線にて構成されているとき、光Ｌ２の指向性が比較的強くなる。そして、光取り出し構造７の断面形状を構成する曲線が多くなるに従い、光Ｌ２の指向性が弱くなる。また、光取り出し構造７の断面形状が三角形状に近いほど光Ｌ２の指向性が強くなり、半円形状に近いほど光Ｌ２の指向性が弱くなる。また、光取り出し構造７の断面形状において、導光板４の背面４ｃに対する凹ドットの傾斜面の傾斜角を変化させることによって、光Ｌ２の指向方向を変化させることも可能である。よって、光取り出し構造７により反射された光Ｌ２は、光取り出し構造７の断面形状を変化させることによって、特定範囲における光量が大きくなるよう調節可能である。そのため、本実施形態に係る照明装置１ａには、例えば、光透過率５０％未満のハーフミラー３も使用することができる。そして、光透過率が低いハーフミラー３を用いることによって、鏡としてのミラー効果を強調することも可能である。
【００３２】
また、本実施形態に係る照明装置１ａにおいては、照明部５が複数設けられていてもよい。そして、照明部５の導光板４それぞれに対し、互いに異なる断面形状または大きさを有する凹ドットから構成された光取り出し構造７が形成されていてもよい。また、本実施形態に係る照明装置１ａにおいては、照明部５が１つ設けられ、照明部５の１つの導光板４に対し、互いに異なる断面形状または大きさを有する凹ドットから構成された光取り出し構造７が導光板４の背面４ｃの複数の領域に形成されていてもよい。これによって、観察者に対し、複数方向に指向性を有する照明光を出射させることができ、様々な照明効果も演出することもできる。
【００３３】
さらに、出射光量が比較的小さい光源６が使用され、光透過率が比較的高いハーフミラー３が使用される場合には、導光板４の背面４ｃに光反射率が小さい板やシートを配置することによって、ミラー効果を補強してもよい。例えば、黒色の板やシートを導光板４の背面４ｃに配置した場合、コントラストが高くなるという効果がある。
【００３４】
なお、本実施形態に係る照明装置１ａにおいて、ハーフミラー３及び導光板４の形状は、図２の（ｂ）に示されるように、略長方形の平板形状としている。しかし、ハーフミラー３及び導光板４の形状は、長方形の平板形状に限定されず、多角形、円形、その他の平板形状であってもよく、特に限定されない。また、導光板４の形状は、平板形状に限定されず、湾曲した形状であってもよい。
【００３５】
〔実施形態２〕
本発明の他の実施形態について、図３に基づいて説明すれば、以下のとおりである。なお、説明の便宜上、前記実施形態１にて説明した部材と同じ機能を有する部材については、同じ符号を付記し、その説明を省略する。図３は、実施形態２に係る鏡付きの照明装置１ｂの概略構成を示し、図３の（ａ）は、断面図であり、図３の（ｂ）は、観察者側から見た正面図である。
【００３６】
本実施形態に係る照明装置１ｂは、図３の（ａ）に示されるように、複数の導光板４１及び４２が設けられている点が上記実施形態１に係る照明装置１ａと異なる。導光板４１及び４２はそれぞれ、出射光の配光特性が異なる。照明部５における光源６は、導光板４１または４２の何れか一方へ向けて光を出射できるように構成されている。
【００３７】
例えば、導光板４１から出射される光の配光特性が鉛直上向きに特化し（Ｘ方向に配光する）、導光板４２から出射される光の配光特性が鉛直下向きに特化している（Ｘ方向と逆方向に配光する）とする。この場合における、本実施形態に係る照明装置１ｂの作用機序について，以下に説明する。
【００３８】
照明部５において、導光板４１から出射される光、及び導光板４２から出射される光は、互いに配光特性が異なる。このため、照明装置１ｂでは、光源６が導光板４１へ向けて光を出射した場合と光源６が導光板４２へ向けて光を出射した場合とで、観察者へ照射する照明光の配光性が異なる。すなわち、照明装置１ｂによれば、光源６が光を出射する対象である導光板に応じて（導光板４１か導光板４２か）、観察者へ照射する照明光の配光特性を選択的に変化させることができる。それゆえ、照明部５の位置を変えることなく、出射光の向きを制御することができる。したがって、照明装置１ｂの構成によれば、観察者の身長（高さ）や使用用途に応じて、出射光に対し任意の配光特性を持たせることができる。
【００３９】
また、図３に示された照明装置１ｂは、２枚の導光板４１及び４２を備えた構成であった。しかし、本実施形態に係る照明装置１ｂに備えられる導光板の数は、２枚に限定されない。導光板は、透明である。このため、照明装置１ｂは、導光板が複数重ねて配置されても、鏡としての機能を損なうことはない。それゆえ、導光板の枚数を多くして、照明光について、より細かい配光特性の組み合わせを実現することも可能になる。
【００４０】
〔実施形態３〕
本発明のさらに他の実施形態について、図４に基づいて説明すれば、以下のとおりである。なお、説明の便宜上、前記実施形態１，２にて説明した部材と同じ機能を有する部材については、同じ符号を付記し、その説明を省略する。図４は、実施形態３に係る鏡付きの照明装置１ｃの概略構成を示し、図４の（ａ）は、断面図であり、図４の（ｂ）は、観察者側から見た正面図である。
【００４１】
本実施形態に係る照明装置１ｃは、図４の（ａ）に示されるように、光取り出し構造７ａの構成要素が凹プリズム（凹部）である点が上記実施形態１に係る照明装置１ａと異なる。なお、光取り出し構造７ａを構成する凹プリズムの断面形状は、図２の（ａ）に示すような略三角形状に限られず、略四角形状、略半円形状などであってもよい。
【００４２】
また、光取り出し構造７ａを構成する凹プリズムは、一つ一つ大きさが同じであってもよく異なっていてもよい。凹プリズムの大きさは、ハーフミラー３越しに、観察者に光取り出し構造７ａが視認されない範囲から適宜選択されればよい。光取り出し構造７ａを構成する凹プリズムの開口の寸法は、φ０．２ｍｍ以下であることが特に好ましい。
【００４３】
さらに、光取り出し構造７を構成する凹プリズムの密度及び分布形状は、本発明の効果を損なわない程度に適宜調整され得、等密度及び等間隔分布の形状に限られず、密度が異なりグラデーション分布の形状であってもよい。
【００４４】
次に、本実施形態に係る照明装置１ｃの作用機序について、以下に説明する。
【００４５】
照明装置１ｃは、凹プリズムによる光取り出し構造７ａとなっている。このような光取り出し構造７ａの主な特徴として、印刷により形成されたドットパターンと比べ、配光制御が容易となる点が挙げられる。
【００４６】
また、凸プリズムによって構成された光取り出し構造と比べ、導光板４の背面４ｃ側に配される他の部材と導光板４の背面４ｃとの間隙を低減させることが可能となる。それに伴い、ハーフミラー３及び導光板４の全体幅の低減すること等により、品位の向上を図ることができる。（凸プリズム形状の光取り出し構造では、背面４ｃ側に凸部が突出してしまうため、背面４ｃにカバー等を付ける際、凸プリズムを傷つけてしまうという課題がある。)
また、本実施形態に係る照明装置１ｃにおいては、照明部５が複数設けられていてもよい。そして、照明部５の導光板４それぞれに対し、互いに異なる断面形状または大きさを有する凹プリズムから構成された光取り出し構造７ａが形成されていてもよい。また、本実施形態に係る照明装置１ｃにおいては、照明部５が１つ設けられ、照明部５の１つの導光板４に対し、互いに異なる断面形状または大きさを有する凹プリズムから構成された光取り出し構造７ａが導光板４の背面４ｃの複数の領域に形成されていてもよい。これによって、観察者に対し、複数方向に指向性を有する照明光を出射させることができ、様々な照明効果も演出することもできる。さらに、観察者が自身の鏡像をハーフミラー３上の中心に映して利用する際に、適した照明効果を観察者に与えることができる。
【００４７】
〔実施形態４〕
本発明のさらに他の実施形態について、図５に基づいて説明すれば、以下のとおりである。なお、説明の便宜上、前記実施形態１〜３にて説明した部材と同じ機能を有する部材については、同じ符号を付記し、その説明を省略する。図５は、実施形態４に係る鏡付きの照明装置１ｄの概略構成を示し、図５の（ａ）は、断面図であり、図５の（ｂ）は、観察者側から見た正面図である。
【００４８】
本実施形態に係る照明装置１ｄは、図５の（ａ）に示されるように、導光板４における側端面４ａ側及び側端面４ｂ側の両方に光源６１及び６２が配されている点が上記実施形態１に係る照明装置１ａと異なる。
【００４９】
光源６１の出射光と光源６２の出射光とは、互いに発光色が異なる。例えば、光源６１の出射光の発光色が電球色であり、光源６２の出射光の発光色が昼白色であるとする。この場合における、本実施形態に係る照明装置１ｄの作用機序について，以下に説明する。
【００５０】
まず、図示しない制御手段が光源６１を点灯し光源６２を消灯するように制御した場合、照明装置１ｄでは、発光エリア８は、光源６１の出射光のみによって形成され、電球色となる。そして、電球色の照明光が観察者を照射するようになっている。一方、図示しない制御手段が光源６１を消灯し光源６２を点灯するように制御した場合、照明装置１ｄでは、発光エリア８は、光源６２の出射光のみによって形成され、昼白色となる。そして、昼白色の照明光が観察者を照射するようになっている。
【００５１】
このように本実施形態に係る照明装置１ｄでは、１つの導光板４を備えた構成であっても、点灯させる光源６１・６２を適宜選択することによって、観察者に照射する照明光の色を周囲の照明環境や外光色に応じて適宜設定することができる。
【００５２】
〔実施形態５〕
本発明のさらに他の実施形態について、図６に基づいて説明すれば、以下のとおりである。なお、説明の便宜上、前記実施形態１〜４にて説明した部材と同じ機能を有する部材については、同じ符号を付記し、その説明を省略する。図６は、実施形態４に係る鏡付きの照明装置１ｅの概略構成を示し、図６の（ａ）は、断面図であり、図６の（ｂ）は、観察者側から見た正面図である。
【００５３】
本実施形態に係る照明装置１ｅは、図６の（ａ）及び（ｂ）に示されるように、人体検知センサ９が設けられている点が上記実施形態１に係る照明装置１ａと異なる。人体検知センサ９は、導光板４を収容するフレームの上部中央部分に配置されている。
【００５４】
人体検知センサ９としては、例えば、焦電型赤外線素子を備え、人体から放射される赤外線を検知する赤外線検知センサが用いられる。また、観察者へ向けて超音波を放射する超音波振動子を備え、観察者から反射する超音波を検知することにより人体を検知する超音波センサが用いられてもよい。
【００５５】
本実施形態に係る照明装置１ｅの作用機序について説明する。
【００５６】
本実施形態に係る照明装置１ｅでは、人体検知センサ９と光源６とが連動するようになっている。すなわち、光源６は、人体検知センサ９と連動して、点灯及び消灯が制御されている。人体検知センサ９と光源６との連動によって、観察者が照明装置１ｅから所定の距離の領域に接近し、人体検知センサ９が観察者を検知すると、光源６が点灯するようになる。また、逆に、観察者が照明装置１ｅから所定の距離の領域から離れ、観察者が離れたことを人体検知センサ９が検知すると、光源６が消灯するように設定される。
【００５７】
このように、本実施形態に係る照明装置１ｅは、観察者が接近することによって光源６を点灯させ鏡付き照明として機能する。一方、観察者が離れることによって光源６を消灯し単なる鏡として機能する。それゆえ、本実施形態に係る照明装置１ｅの構成によれば、照明の意外性を効果的に演出することができる。また、本実施形態に係る照明装置１ｅの構成によれば、観察者が使用していない場合、無駄な電気が使用されないといった省エネルギー性を有するという効果もある。
【００５８】
また、照明装置１ｅは、人体検知センサ９によって観察者の背丈を認識するような構成とすることができる。これによって、観察者の背丈に合わせた高さに照明光を照射させることが可能な照明装置を提供することができる。
【００５９】
〔まとめ〕
本発明の態様１に係る照明装置１ａ・１ｂ・１ｃ・１ｄ・１ｅは、対象物を映し出す鏡体を備え、対象物に対し照明光（光Ｌ２）を出射する照明装置であって、上記鏡体は、上記対象物側に鏡面が形成されたハーフミラー３と、該ハーフミラー３における上記対象物と反対側に配置され、ハーフミラー３の一部の領域（発光エリア８）を通過するように上記照明光を出射する照明部５と、を備え、上記照明部５は、導光板４と、上記導光板４の側端部（側端面４ａ）に光を照射する光源６と、を有し、上記導光板４には、上記側端部（側端面４ａ）から入射し導光板４内部を進行する光Ｌ１を上記ハーフミラー３へ向けて出射するための光取り出し構造７・７ａが形成されており、上記導光板４及び上記光源６は、上記ハーフミラー３に対して相対的に移動することを特徴としている。
【００６０】
上記の構成によれば、導光板４内部を進行する光Ｌ１の一部は、光取り出し構造７により反射され、導光板４から上記対象物側へ出射される。導光板４から出射された光は、ハーフミラー３を透過し、照明装置１ａから照明光として出射され、上記対象物を照射する。ここで、上記の構成によれば、光源６および導光板４は上記ハーフミラー３に対して相対的に移動するので、導光板４から出射された光は、ハーフミラー３表面の任意の位置に発光エリア８を形成することが可能になる。また、対象物を照明した光の反射光は、ハーフミラー３にて反射され、ハーフミラー３に鏡像を形成する。そして、この鏡像は、観察者によって明瞭に視認されることになる。
【００６１】
上記の構成によれば、照明光がハーフミラー３の後側から出射し、ハーフミラー３を透過して上記対象物を照射する。このため、上記対象物がハーフミラー３の鏡面に近づいても影が生じることなく観察者に照明光を照射することができるという照明効果を奏する。
【００６２】
また、上記の構成によれば、導光板４内部を進行する光Ｌ１は、光取り出し構造７にて反射される。光取り出し構造７にて反射された光は、光取り出し構造７の断面形状に応じた指向性を有する。そのため、上記の構成によれば、上記対象物を映し出すための鏡面の全面がハーフミラー３で形成されていても、照明部５による発光エリアは、ハーフミラー３表面上の一部の領域に限定される。それゆえ、照明効果と対象物の鏡像を映すミラー効果とを両立することができる。
【００６３】
したがって、上記の構成によれば、対象物が鏡面として認識する範囲全面を同じ光反射率を有するハーフミラー３によって構成することができる。それゆえ、上記の構成によれば、特許文献１に記載された姿見鏡のように光反射率の異なることに起因してハーフミラー面とミラー面との境界が生じることがない。したがって、光源６の消灯時においても、鏡としての品位を損ねることはない。
【００６４】
以上より、上記の構成によれば、鏡の品位を損なうことなく、観察者にとって最適な照明効果とミラー効果とを実現するとともに、照明部の位置設定の自由度を高くし、利便性が向上した照明装置を提供することができる。
【００６５】
本発明の態様２に係る照明装置１ｂは、上記態様１において、出射光の配光特性が互いに異なる、複数の導光板４１・４２を備えたことが好ましい。
【００６６】
上記の構成によれば、出射光の配光特性が互いに異なる、複数の導光板４１・４２を備えたので、照明部５の位置を変えることなく、出射光の向きを制御することができる。したがって、上記の構成によれば、対象物の高さや使用用途に応じて、出射光に対し任意の配光特性を持たせることができる。
【００６７】
本発明の態様３に係る照明装置１ｃは、上記態様１または２において、上記光取り出し構造７ａは、凹プリズムから構成されていてもよい。
【００６８】
本発明の態様４に係る照明装置１ｄは、上記態様１から３において、出射光の発光色が互いに異なる複数の光源６１・６２を備え、上記複数の光源６１・６２は、それぞれ、上記導光板の互いに異なる側端部（側端面４ａまたは４ｂ側）に配置されていることが好ましい。
【００６９】
上記の構成によれば、１つの導光板４を備えた構成であっても、点灯させる光源６１・６２を適宜選択することによって、対象物に照射する照明光の色を周囲の照明環境や外光色に応じて適宜設定することができる。
【００７０】
本発明の態様５に係る照明装置１ｅは、上記態様１から４において、人体検知センサ９と、上記人体検知センサ９と連動して上記光源６の点灯及び消灯を制御する制御手段とを備えたことが好ましい。
【００７１】
上記の構成によれば、上記人体検知センサ９と連動して上記光源６の点灯及び消灯が制御されるので、照明の意外性を効果的に演出することができる。
【００７２】
また、本発明の態様６に係る照明装置１ａ・１ｂ・１ｃ・１ｄ・１ｅは、上記態様１から５において、上記光取り出し構造７・７ａは、上記導光板４における上記ハーフミラー３と反対側の面に形成されていることが好ましい。
【００７３】
また、本発明の態様７に係る照明装置１ａ・１ｂ・１ｃ・１ｄ・１ｅは、上記態様１から６において、上記光取り出し構造７・７ａは、導光板４から出射する光Ｌ２に指向性を付与する構造を有することが好ましい。例えば、光取り出し構造７・７ａは、断面形状が三角形状、四角形状、または半円形状である、複数の凹部（凹ドット、凹プリズム）によって構成されていてもよい。
【００７４】
また、本発明の態様８に係る照明装置１ａ・１ｂ・１ｃ・１ｄ・１ｅは、上記態様１から７において、上記ハーフミラー３の光透過率は、５０％未満であることが好ましい。これによって、鏡としてのミラー効果を強調することが可能である。
【００７５】
また、本発明の態様９に係る照明装置１ａ・１ｂ・１ｃ・１ｄ・１ｅは、上記態様１から８において、上記導光板４の面積は、上記ハーフミラー３の面積よりも小さいことが好ましい。
【００７６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７７】
本発明は、例えば、洗面台に備え付けられた洗面台用鏡、手鏡、化粧用コンパクト、または、店舗等に設置される姿見鏡などに利用することができる。
【符号の説明】
【００７８】
１ａ  照明装置
１ｂ  照明装置
１ｃ  照明装置
１ｄ  照明装置
１ｅ  照明装置
２  鏡フレーム
３  ハーフミラー
４  導光板
４１  導光板
４２  導光板
４ａ  側端面
４ｂ  側端面
４ｃ  背面
４ｄ  前面
４ｅ  上面
４ｆ  下面
５  照明部
６  光源
６１  光源
６２  光源
７  光取り出し構造
７ａ  光取り出し構造
８  発光エリア
９  人体検知センサ
【図１】
2015099761.tif 000003
【図２】
2015099761.tif 000004
【図３】
2015099761.tif 000005
【図４】
2015099761.tif 000006
【図５】
2015099761.tif 000007
【図６】
2015099761.tif 000008
【図７】
2015099761.tif 000009
【図８】
2015099761.tif 000010